(57)【要約】【課題】ビアホール構造を測定するための自動光学検査システムを提供することを目的とする。【解決手段】前記自動光学検査システムは、光源装置と、撮影装置と、画像処理装置とを備える。前記光源装置は検査対象のビアホール構造に提供する。前記ビアホール構造は壁エリア及び面エリアを有する。前記撮影装置は前記ビアホール構造に向けられ、これによりビアホール構造の画像を得る。前記撮影装置は画角と開口数を有する。前記画像処理装置は前記ビアホール構造の画像の特徴差と画角に基づき、前記ビアホール構造の画像上の前記壁エリア及び前記面エリアを判断する。【選択図】図１
2020126035.tif 000002
【特許請求の範囲】
【請求項１】
ビアホール構造を測定するための方法であって、
検査対象のビアホール構造に光源を提供することと、
画角を有する撮影装置を前記ビアホール構造に向けビアホール構造の画像を得ることと、
前記撮影装置の開口数の設定に応じ、前記ビアホール構造の壁エリア及び面エリアにより前記ビアホール構造の画像上に画像の特徴差を出現させることと、
前記画角と前記画像の特徴差に基づき前記ビアホール構造の画像上の前記壁エリア及び前記面エリアを判断すること
とを含むことを特徴とするビアホール構造を測定するための方法。
【請求項２】
前記画像の特徴差は明度であることを特徴とする請求項１に記載の方法。
【請求項３】
前記光源を前記検査対象の前記ビアホール構造に提供する工程は、コリメート光及び／または拡散光を前記検査対象の前記ビアホール構造に提供することを含むことを特徴とする請求項１に記載の方法。
【請求項４】
前記光源を前記検査対象の前記ビアホール構造に提供する工程は、第一光源と第二光源を前記検査対象の前記ビアホール構造に提供することを含み、前記第一光源及び前記第二光源は異なるスペクトル特性を有することを特徴とする請求項１に記載の方法。
【請求項５】
前記画像の特徴差は、明度の特徴差と彩度の特徴差であることを特徴とする請求項４に記載の方法。
【請求項６】
前記画角と前記画像の特徴差に基づき、前記ビアホール構造の画像上の前記壁エリア及び前記面エリアを判断する工程は、前記画像の特徴差に基づき前記ビアホール構造の画像上の前記壁エリアの面積と位置及び前記面エリアの面積と位置を判断することを含むことを特徴とする請求項１に記載の方法。
【請求項７】
前記画角と前記画像の特徴差に基づき、前記ビアホール構造の画像上の前記壁エリア及び前記面エリアを判断する工程は、前記壁エリアの面積と位置及び前記面エリアの面積と位置に基づき、画像検査結果を出力することを含むことを特徴とする請求項６に記載の方法。
【請求項８】
前記画像検査結果は、孔の形状検査、孔底の品質検査、孔壁の品質検査、孔底と孔壁の接続箇所の品質検査を含むことを特徴とする請求項７に記載の方法。
【請求項９】
前記面エリアは、前記ビアホール構造の底面エリア及び／または断裂部エリアを含むことを特徴とする請求項７に記載の方法。
【請求項１０】
前記画像検査結果は、前記ビアホール構造に断裂部エリアがないかの判断を含むことを特徴とする請求項９に記載の方法。
【請求項１１】
前記画像検査結果は、前記断裂部の高さの判断を含むことを特徴とする請求項９に記載の方法。
【請求項１２】
前記検査対象はプリント基板であることを特徴とする請求項１に記載の方法。
【請求項１３】
ビアホール構造を測定するための自動光学検査システムであって、
光源装置と、
撮影装置と、
画像処理装置とを備え、
前記光源装置は検査対象のビアホール構造に提供され、
前記ビアホール構造は壁エリアと面エリアを有し、
前記撮影装置は前記ビアホール構造に向けられ、これによりビアホール構造の画像を得、
前記撮影装置は画角と開口数を有し、
前記画像処理装置は前記ビアホール構造の画像の特徴差と画角に基づき、前記ビアホール構造の画像上の前記壁エリア及び前記面エリアを判断することを特徴とする自動光学検査システム。
【請求項１４】
前記画像の特徴差は、明度であることを特徴とする請求項１３に記載の自動光学検査システム。
【請求項１５】
前記光源装置は、コリメート光源及び／または拡散光源であることを特徴とする請求項１３に記載の自動光学検査システム。
【請求項１６】
前記コリメート光源または前記拡散光源は、白色光源、青色光源、赤色光源を含むことを特徴とする請求項１５に記載の自動光学検査システム。
【請求項１７】
前記光源装置は、前記面エリアにコリメート光を提供するためのコリメート光源を含むことを特徴とする請求項１５に記載の自動光学検査システム。
【請求項１８】
前記光源装置は、前記壁エリアに拡散光を提供するための拡散光源を含むことを特徴とする請求項１５に記載の自動光学検査システム。
【請求項１９】
前記拡散光源は、
１以上の発光ユニットと、
前記発光ユニットの外側に設置されるカバーとを備え、前記カバーは反射面にディフューザーまたは光拡散材料を有することを特徴とする請求項１８に記載の自動光学検査システム。
【請求項２０】
前記光源装置は、第一光源と第二光源を備え、前記第一光源と前記第二光源は異なるスペクトル特性を有し、
前記第一光源は前記面エリアに光を提供し、
前記第二光源は前記壁エリアに光を提供することを特徴とする請求項１３に記載の自動光学検査システム。
【請求項２１】
前記第一光源または前記第二光源は、白色光源、青色光源、赤色光源を含むことを特徴とする請求項２０に記載の自動光学検査システム。
【請求項２２】
前記画像の特徴差は、明度の特徴差と彩度の特徴差であることを特徴とする請求項２０に記載の自動光学検査システム。
【請求項２３】
前記画像処理装置は、前記画像の特徴差に基づき前記ビアホール構造の画像上の前記壁エリアの面積と位置及び前記面エリアの面積と位置を判断することを含むことを特徴とする請求項１３に記載の自動光学検査システム。
【請求項２４】
前記画像処理装置は、前記面エリアの面積と位置及び前記壁エリアの面積と位置に基づき、画像検査結果を出力することを含むことを特徴とする請求項１３に記載の自動光学検査システム。
【請求項２５】
前記画像検査結果は、孔の形状検査、孔底の品質検査、孔壁の品質検査、孔底と孔壁の接続箇所の品質検査を含むことを特徴とする請求項２４に記載の自動光学検査システム。
【請求項２６】
前記面エリアは、前記ビアホール構造の底面エリア及び／または断裂部エリアを含むことを特徴とする請求項２４に記載の自動光学検査システム。
【請求項２７】
前記画像検査結果は、前記ビアホール構造に断裂部エリアがないかの判断を含むことを特徴とする請求項２６に記載の自動光学検査システム。
【請求項２８】
前記画像検査結果は、前記断裂部の高さの判断を含むことを特徴とする請求項２６に記載の自動光学検査システム。
【請求項２９】
前記検査対象はプリント基板であることを特徴とする請求項１３に記載の自動光学検査システム。
【発明の詳細な説明】
【技術分野】
【０００１】
本発明は、自動光学検査システム及びその方法に関し、特に、ビアホール構造を測定するための自動光学検査システム及びその方法に関する。
【背景技術】
【０００２】
自動光学検査（Ａｕｔｏｍａｔｅｄ  Ｏｐｔｉｃａｌ  Ｉｎｓｐｅｃｔｉｏｎ，  ＡＯＩ）は、マシンビジョンを検査に活用したものである。肉眼による検査をマシンビジョンに置き換えることで、精度が高く、より効率的な検査を可能とするものである。従来から行われてきた人が検査装置を使用して行う検査の欠点を補うことができ、科学技術産業の研究、製造、品質管理、国防、民生、医療、環境保全、電力などの分野で応用されている。
【０００３】
光学検査分野では、複雑な表面に対する検査は平滑な表面に対するものより困難である。可視性の複雑な表面についての検査は撮影装置の被写界深度次第であり、撮影装置の被写界深度が十分であれば一般的には問題がない。しかし、平面に存在する不可視の欠陥（例えば、ブラインドビアの内側壁面の欠陥）は、従来の光学方式（例えば、平面撮影）で検査を行うのが難しい。このような欠陥に対しては、撮影装置の相対的な位置及び撮影角度を調整して対応するが、それぞれの目的のエリアに対して逐一撮影を行わねばならず、このような検査を行うのは時間も人的コストもかかる割には相応の効果が得られないこともある。
【発明の概要】
【０００４】
本発明の目的は、ビアホール構造を測定するための方法を提供することにある。前記方法は、検査対象のビアホール構造に光源を提供することと、画角を有する撮影装置を前記ビアホール構造に向けビアホール構造の画像を得ることと、前記撮影装置の開口数の設定に応じ、前記ビアホール構造の壁エリア及び面エリアにより前記ビアホール構造の画像上に画像の特徴差を出現させることと、前記画角と前記画像の特徴差に基づき前記ビアホール構造の画像上の前記壁エリア及び前記面エリアを判断することとを含む。
【０００５】
本発明のさらなる目的は、ビアホール構造を測定するための自動光学検査システムを提供することにある。前記自動光学検査システムは、光源装置と、撮影装置と、画像処理装置とを備える。前記光源装置は検査対象のビアホール構造に提供する。前記ビアホール構造は壁エリア及び面エリアを有する。前記撮影装置は前記ビアホール構造に向けられ、これによりビアホール構造の画像を得る。前記撮影装置は画角と開口数を有する。前記画像処理装置は前記ビアホール構造の画像の特徴差と画角に基づき、前記ビアホール構造の画像上の前記壁エリア及び前記面エリアを判断する。
【０００６】
本発明によれば、ビアホール構造の面エリアまたは壁エリアの差異を利用し、レンズの開口数を調整することで、画像上に明度の差異が発生し、これにより、側壁及び孔底／断裂部を観察することができる。
【図面の簡単な説明】
【０００７】
【図１】図１は、本発明の自動光学検査設備を示す説明図である。
【図２】図２は、本発明の実施例を示す説明図である。
【図３】図３は、本発明の別の実施例を示す説明図である。
【図４】図４は、検査対象のビアホール構造を示す説明図（一）である。
【図５】図５は、検査対象のビアホール構造を示す説明図（二）である。
【図６】図６は、検査対象のビアホール構造を示す説明図（三）である。
【図７】図７は、図６の断面図である。
【図８】図８は、本発明の光学検査方法の工程を示す説明図である。
【発明を実施するための形態】
【０００８】
以下、本発明の技術内容を図面に基づいて説明する。なお、これら図面は説明のためのものであるため、実際の比率に従い描かれたものではなく、本発明の技術的範囲を限定するものではない。
【０００９】
以下に実施例を用いて、本発明の技術的内容をより詳細に説明する。 図１は本発明の自動光学検査設備を示す説明図である。
【００１０】
本実施例の提供する自動光学検査設備１００は、撮影装置１０と、光源装置２０と、画像処理装置３０とを備える。
【００１１】
撮影装置１０はビアホール構造Ｈに向けられ、これにより検査対象Ｐのビアホール構造の画像を得られる。撮影装置１０は光学レンズ１１と、光学レンズ１１に接続される感光ユニット１２とを備える。光学レンズ１１は対象物を撮影し、画像を感光ユニット１２上に現像する。光学レンズ１１は魚眼レンズ、広角レンズまたは標準レンズなどのうちのひとつである。感光ユニット１２はＣＣＤイメージセンサまたはＣＭＯＳイメージセンサなどのうちのひとつである。検査対象Ｐは、例えばこれに限定しないが、１以上のビアホール構造を持つ物体、例えば複数のブラインドビアを有する平面物体、または直線型や複数箇所折れ曲がった導管である。好ましい実施形態においては、検査対象Ｐはプリント基板である。撮影装置１０の画角及び開口数は人またはシステムにより調整する。
【００１２】
光源装置２０は検査対象Ｐのビアホール構造Ｈに対し光を発する。ビアホール構造Ｈは１以上の壁エリアＨ１と１以上の面エリアＨ２を有する（図４〜図６に示す）。特定の光源を提供し、画角及び開口数を調整することで、画像中の壁エリアＨ１と面エリアＨ２の画像の特徴差を強調することができる。前記面エリアは例えば前記ビアホール構造Ｈの底面エリア及び／または断裂部エリアを含む。
【００１３】
本発明において「画像の特徴差」とは、例えば明度の特徴差や彩度の特徴差である。実施例においては、光源装置２０はコリメート光源２１及び／または拡散光源２２である。異なる性質の光源を提供することで、画像中に明度の特徴差を生み出し、壁エリアＨ１と面エリアＨ２を区別することができる。本発明において「コリメート光源」及び「拡散光源」とは、その光源の成分の大部分をコリメート光または拡散光が占めることを指す。また別の実施例においては、光源装置２０は２種類以上の異なるスペクトル特性を持つ光源（例えば第一光源、第二光源）を有する。これにより画像中に明度の特徴差及び彩度の特徴差を生み出し、壁エリアＨ１と面エリアＨ２を区別することができる。
【００１４】
上述の方法のほか、異なる性質及び異なるスペクトル特性を持つ光源を同時に使用することで、ビアホール構造Ｈの壁エリアＨ１と面エリアＨ２の画像の特徴差を際立たせてもよく、本発明においては限定しない。
【００１５】
図２は本発明の実施例を示す説明図である。コリメート光源２１は、発光ユニット２１１と、半透鏡２１２を備える。発光ユニット２１１はコリメート光を発し、半透鏡２１２は傾斜角（通常は４５度）をつけて撮影装置１０の撮影方向上に設置される。これにより発光ユニット２１１が発するコリメート光を撮影装置１０と同軸になるよう９０度反射させ、半透鏡２１２が光束の一部を通過させることで撮影装置１０はビアホール構造Ｈの画像を得ることができる。
【００１６】
より具体的には、拡散光源２２は１以上の発光ユニット２２１と、カバー２２２とを備える。カバー２２２は発光ユニット２２１の外側に設置される。光をビアホール構造Ｈに均一に発するため、カバー２２２の反射面はディフューザ―または光拡散材料を有し、前記拡散光をビアホール構造Ｈに提供する。実施例において、カバー２２２はアーチ形のカバーである。前記アーチ形のカバーの反射面はディフューザ―または光拡散材料を有し、発光ユニット２２１の光が前記アーチ形のカバーに入射した後、前記アーチ形のカバーで反射しビアホール構造Ｈ上に至る。前記ディフューザーは例えば不均一な微細構造であり、前記光拡散材料は例えば光を拡散する粉末や微粒子であり、本発明においては限定しない。発光ユニット２２１が直接検査対象Ｐを照らさないよう、発光ユニット２２１は前記アーチ形のカバーの外周縁に内側（反射面）に向かって環状に設置される。
【００１７】
図３は本発明の別の実施例を示す説明図である。カバー２２２はアーチ形のカバーだけでなく、他のディフューズ装置を使用することができる。例えばこの実施例においては、カバー２２２は発光ユニット２２４の外側に斜めに設置される反射拡散板２２３である。反射拡散板２２３の反射面はディフューザーまたは光拡散材料を有し、同様に光拡散効果を得ることができる。
【００１８】
画像処理においてビアホール構造Ｈの壁エリアＨ１と面エリアＨ２の画像の特徴差を際立たせ、欠陥をより際立たせるため、前記コリメート光及び前記拡散光は異なるスペクトル特性を有する。本実施例において、例えば底面及び側壁の材料が共に銅であるとき、前記コリメート光は青色光が好ましく、前記拡散光は赤色光が好ましい。二種の光源を混合することで、ビアホール構造Ｈの壁エリアＨ１、面エリアＨ２はそれぞれ異なる波長の光により明確な境界が現れ（図３に示す）、画像処理装置３０は画像中の欠陥を容易に取得することができる。実施例においては、前記コリメート光と前記拡散光の波長の差は、１００ｎｍ以上であるが、これに限定しない。前記波長の差は材料と実際の用途に応じて決める。
【００１９】
好ましい実施例において、以下の光源の組み合わせにより、効果的に画像の特徴差を際立たせることができ、画像中のビアホール構造Ｈの壁エリアＨ１と面エリアＨ２の区別をつけることができる。
【表１】
2020126035.tif 000003
【００２０】
画像処理装置３０は撮影装置１０に接続され、ビアホール構造Ｈの画像の特徴差と画角に基づき、ビアホール構造Ｈの画像上の壁エリアＨ１及び面エリアＨ２を判断する。実施例においては、画像処理装置３０は前記画像の特徴差に基づき、前記ビアホール構造の画像上の壁エリアＨ１の面積と位置及び前記面エリアＨ２の面積と位置を判断し、これに基づき画像検査結果を出力する。具体的には、画像処理装置３０はストレージ（図示せず）にプログラムを保存し、前記プログラムにより画像分析を実行する。具体的には、画像分析プログラムは例えば、画像前処理プログラム、画像分割及び位置決めプログラム、欠陥検出（勾配化、領域拡張など）、マシンラーニング、ディープラーニングなどであり、本発明においては限定しない。
【００２１】
前記画像検査結果は、孔の形状検査、孔底の品質検査、孔壁の品質検査、孔底と孔壁の接続箇所の品質検査、前記ビアホール構造に断裂部エリアがないかの判断、前記断裂部エリアの高さの判断などを含む。
【００２２】
図４〜図６は実施例における検査対象のビアホール構造の説明図である。
【００２３】
検査物Ｐは基板上のビアホール構造Ｈである。検査物Ｐはめっきが均一でないなどの理由により断裂部エリアを生み出す可能性があり、穴の内側で断線を引き起こす。図４に示すように、面エリアＨ２（孔底エリア）の範囲が一定の直径に達したとき、断裂部エリアＨ３が既に断線を引き起こしていることがわかる。断裂部Ｈ３が発生したかどうかは、孔底エリアの面エリアＨ２の直径を測ることでわかる。または、撮影した画像と欠陥のない画像を重ね合わせることで断裂部Ｈ３の発生を知ることもできる。もう一つの状況について図５で示す。ビアホール構造Ｈは孔底エリアで断裂部Ｈ３を形成しているほか、孔壁上にも欠陥が発生し断裂部Ｈ４を形成する可能性がある。孔壁上に形成する断裂部Ｈ４は孔壁の角度と異なるため、壁エリアＨ１とは画像の特徴差が現れる。さらにもう一つの状況について図６で示す。断裂部Ｈ５が面エリアＨ２の片側に形成され、面エリアＨ２の片側だけが楕円になった場合、欠陥が片側の孔壁にのみ存在すると判断できる。断線しているかどうかは断裂部エリアの高さと相関性がある。すなわち、銅めっきの厚みがどれだけ少ないかである。これにより、欠陥の高さを調べることで断線した可能性を予測することができる。
【００２４】
欠陥の高さを取得する方法について、図６及び図７を参考に説明する。図７は図６の断面図である。
【００２５】
実際の空間における欠陥の高さを計算して得るには、撮影の画角と画像中の孔壁の傾斜角度を調整し、画像中の欠陥の長さを利用して正確な高さを計算して出せるようにする必要がある。
【００２６】
孔内側壁の傾斜角度が一定であるとして、画角及び開口数を調節した撮影機（撮影装置１０）の撮影角度を固定し、撮影を行い計算することで画像中の断裂部エリアの長さを得ることができる。計算を始めるとまず３つの変数、すなわち孔壁傾斜角度α、撮影角度β及び断裂部エリアの長さＧＰを得ることができる。
【００２７】
このうち、画像から得た断裂部エリアの長さＧＰは断裂部エリアの第一長さＧＰ１と撮影機の画角により出来る断裂部エリアの第二長さＧＰ２との和である。よって、断裂部エリアの長さＧＰは次の式が成り立つ。
【数１】
2020126035.tif 000004
【００２８】
計算開始時点で、孔壁傾斜角度αは確定しているため、三角関数により、断裂部エリアの第一長さＧＰ１は断裂部エリアの高さＧＰＨと一定の三角比の関係にあることがわかるため、次の式が成り立つ。
【数２】
2020126035.tif 000005
【００２９】
上述の式による計算の後、残った断裂部エリアの第二長さＧＰ２の変数を確定する必要がある。断裂部エリアの第二長さＧＰ２は撮影機の撮影角度から出来るものであり、図４から分かるとおり、断裂部エリアの第二長さＧＰ２は断裂部エリアの高さＧＰＨと一定の三角比の関係にあるため、次の式が成り立つ。
【数３】
2020126035.tif 000006
【００３０】
上述の３つの式の連立方程式は以下のようになる。
【数４】
2020126035.tif 000007
【００３１】
１つ目の式を３つ目の式に代入すると以下の連立方程式になる。
【数５】
2020126035.tif 000008
【００３２】
２つの方程式を計算すると、未知の数値だった断裂部エリアの高さＧＰＨと断裂部エリアの第一長さＧＰ１が一度に得られ、断裂部エリアの高さＧＰＨから断線の可能性を確認することができる。
【００３３】
断裂部エリアの高さＧＰＨを得られるほか、他の実施例では、画像分析の結果から、前記画像検査結果はさらに、孔壁欠陥幅、めっき不連続サイズなどを含むことができる。
【００３４】
画像処理装置３０は上述の方法による断裂部エリアの高さＧＰＨを得られるほか、例えば断裂部エリアの幅または孔壁と孔底の間の断裂部エリアの長さ、壁エリアの面積と位置及び面エリアの面積と位置などを得ることができる。
【００３５】
ここから、本発明のビアホール構造内側壁面の光学検査方法について説明する。図８は本発明の光学検査方法の工程を示す説明図である。
【００３６】
本発明はさらに、ビアホール構造を測定するための方法を提供する。前記方法は以下の工程を含む。
【００３７】
検査対象のビアホール構造に光源を提供する（工程Ｓ０１）：実施例においては、前記光源を前記検査対象の前記ビアホール構造に提供する工程は、コリメート光及び／または拡散光を前記検査対象の前記ビアホール構造に提供することを含む。別の実施例においては、前記光源を前記検査対象の前記ビアホール構造に提供する工程は、第一光源と第二光源を前記検査対象の前記ビアホール構造に提供することを含む。前記第一光源と前記第二光源は異なるスペクトル特性を有する。
【００３８】
画角を有する撮影装置を前記ビアホール構造に向け、ビアホール構造の画像を得る（工程Ｓ０２）：
【００３９】
前記撮影装置の開口数を調整することで、前記ビアホール構造の壁エリア及び面エリアにより前記ビアホール構造の画像上に画像の特徴差を出現させる（工程Ｓ０３）：前記ビアホール構造に異なる特性を持つ光源（例えば、コリメート光、拡散光）を提供することで、得られる画像の特徴差は明度の特徴差となる。前記ビアホール構造に異なるスペクトル特性を持つ光源を提供することで、得られる画像の特徴差は明度の特徴差と彩度の特徴差となる。
【００４０】
前記画角と前記画像の特徴差に基づき、前記ビアホール構造の画像上の前記壁エリア及び前記面エリアを判断する（工程Ｓ０４）：実施例においては、前記ビアホール構造の画像上の前記壁エリアと前記面エリアを判断する工程は、前記画像の特徴差に基づき前記ビアホール構造の画像上の前記壁エリアの面積と位置及び前記面エリアの面積と位置を判断することを含む。さらに、前記壁エリアの面積と位置及び前記面エリアの面積と位置に基づき、画像検査結果を出力する。前記面エリアは例えば、前記ビアホール構造の底面エリア及び／または断裂部エリアである。断裂部エリアの長さから、欠陥の高さを計算して出すことができ、そこから断線の可能性を判断することができる。
【００４１】
得られた画像検査結果は、孔の形状検査、孔底の品質検査、孔壁の品質検査、孔底と孔壁の接続箇所の品質検査、前記ビアホール構造に断裂部エリアがないかの判断、及び前記断裂部の高さの判断などを含む。
【００４２】
本発明によれば、ビアホール構造の面エリアまたは壁エリアの差異を利用し、レンズの開口数を調整することで、画像上に明度の差異が発生し、これにより、側壁及び孔底／断裂部を観察することができる。
【００４３】
以上、本発明について詳細に説明したが、上述したのはあくまでも一実施形態であり、本発明は更に別の態様でも実施でき、その主旨を逸脱しない範囲で種々変更を加え得るものである。
【符号の説明】
【００４４】
１００    自動光学検査設備
１０      撮影装置
１１      光学レンズ
１２      感光ユニット
２０      光源装置
２１      コリメート光源
２１１    発光ユニット
２１２    半透鏡
２２      拡散光源
２２１    発光ユニット
２２２    カバー
２２３    反射拡散板
２２４    発光ユニット
３０      画像処理装置
Ｐ        検査対象
Ｈ        ビアホール構造
Ｈ１      壁エリア
Ｈ２      面エリア
Ｈ３      断裂部エリア
Ｈ４      断裂部エリア
Ｈ５      断裂部エリア
α        孔壁傾斜角度
β        撮影角度
ＧＰ      断裂部エリアの長さ
ＧＰ１    断裂部エリアの第一長さ
ＧＰ２    断裂部エリアの第二長さ  
ＧＰＨ    断裂部エリアの高さ
Ｓ０１〜Ｓ０４    工程０１〜０４
【図１】
2020126035.tif 000009
【図２】
2020126035.tif 000010
【図３】
2020126035.tif 000011
【図４】
2020126035.tif 000012
【図５】
2020126035.tif 000013
【図６】
2020126035.tif 000014
【図７】
2020126035.tif 000015
【図８】
2020126035.tif 000016